(57)【要約】【課題】雌端子金具及び端子金具において、振動などによる傾きを抑制することを目的とする。【解決手段】雄端子金具５０を挿入可能な開口部３５を有する筒状の端子接続部３０と、前記端子接続部３０の前記開口部３５の奥側に設けられ、前記端子接続部３０の内側に突出することで前記雄端子金具５０と接触部３７Ａで接触する弾性接触片３７と、前記接触部３７Ａから前記雄端子金具５０の軸線方向に離間した位置に設けられ、前記雄端子金具５０を挿入可能な孔部４３を有し、該孔部４３の周縁が前記弾性接触片３７と接触する前記雄端子金具５０の周囲に接触することで前記雄端子金具５０の傾きを抑制する傾き抑制部４０と、を備える。【選択図】図４
2015220017.tif 000002
【特許請求の範囲】
【請求項１】
雄端子金具を挿入可能な開口部を有する筒状の端子接続部と、
前記端子接続部の前記開口部の奥側に設けられ、前記端子接続部の内側に突出することで前記雄端子金具と接触部で接触する弾性接触片と、
前記接触部から前記雄端子金具の軸線方向に離間した位置に設けられ、前記雄端子金具を挿入可能な孔部を有し、該孔部の周縁が前記弾性接触片と接触する前記雄端子金具の周囲に接触することで前記雄端子金具の傾きを抑制する傾き抑制部と、を備える雌端子金具。
【請求項２】
前記端子接続部は角筒状をなしており、その一側面に設けた切り起こし片によって前記傾き抑制部が形成されている請求項１に記載の雌端子金具。
【請求項３】
前記傾き抑制部が別体の樹脂製部品である請求項１に記載の雌端子金具。
【請求項４】
前記請求項１から請求項３のいずれか１項に記載の雌端子金具と、該雌端子金具に挿入可能な雄端子金具とを備える一対の端子金具であって、
前記雄端子金具の先端には、先細のテーパー部が形成されており、
前記孔部はその径寸法が前記雄端子金具の最大外形寸法より小さい端子金具。
【請求項５】
前記請求項１から請求項３のいずれか１項に記載の雌端子金具と、該雌端子金具に挿入可能な雄端子金具とを備える一対の端子金具であって、
前記雄端子金具は、その先端が複数に分岐した分岐先端部を有しており、
前記傾き抑制部には、前記雄端子金具の分岐先端部に対応する数の前記孔部が形成されている端子金具。
【請求項６】
前記雄端子金具の前記分岐先端部には、先細の分岐テーパー部が形成されており、
前記孔部はその径寸法が前記分岐先端部の最大径寸法より小さくなっている請求項５に記載の端子金具。
【発明の詳細な説明】
【技術分野】
【０００１】
本発明は、雌端子金具及びこの雌端子金具を含んだ一対の端子金具に関する。
【背景技術】
【０００２】
従来、一般に雌端子金具は、タブ状の雄端子金具を挿入可能な端子接続部を有し、この端子接続部内に設けられた弾性片を雄端子金具に押し当てて両者が電気的に接続される構成である。弾性片には、雄端子金具側に突出する接触部が設けられ、その接触部が雌端子金具の平板部分の一方の側面に圧接し、他方の側面が雌端子金具の端子接続部の内面に押し当てられる。
ところで、この種の端子金具をコネクタハウジング内に装着して構成したコネクタでは、雄端子金具や雌端子金具とコネクタのキャビティとの間には僅かな隙間があり、また防水コネクタでは、端子金具の端部に設けられた防水ゴム栓がキャビティ内で弾性変形可能となっている。このため、このコネクタが車両等に搭載されて電線やコネクタに車両からの振動が作用すると、端子金具はコネクタハウジング内で僅かにがたつくような動きが許容されている。
【０００３】
しかるに、従来の雌端子金具では、雄端子金具を接触部によって１点で支持する構造であるため、コネクタや電線が振動を受けて、雌雄の両端子金具が接触部を支点として、両者の軸線が相対的に傾くように動くことがある。このため、端子接続部の内面との接触状態が変化したり、摩耗が生じたり、様々な不具合が生ずることがあり、接続信頼性が損なわれることがあった。
【０００４】
このような問題を解決する雌端子金具として、特開２０１２−８４３３８号公報（下記特許文献１）に開示される雌型端子金具が知られている。この雌型端子金具は、筒形の端子接続体に設けられた弾性接触片と、この弾性接触片と対向する筒内面に突設されるビード部と、ビード部の前端側及び後端側の少なくともどちらか一方に筒内面に突出するインデント部を備えている。そのため、タブ状の雄型端子が振動などにより上下方向に傾いても、インデント部に雄型端子が当接することで、雄型端子の傾動が制御される。これにより、雄型端子と雌型端子との良好な接続状態を保持することができ、接続信頼性を向上させることができるというものである。
【先行技術文献】
【特許文献】
【０００５】
【特許文献１】特開２０１２−８４３３８号公報
【発明の概要】
【発明が解決しようとする課題】
【０００６】
しかしながら、特開２０１２−８４３３８号公報（上記特許文献１）の構成では、雄型端子金具が上下方向に傾く動きはインデント部によってある程度の制御はできるものの雄端子金具がインデント部に当接するまでは傾きを許容せざるを得ず、雄端子金具の傾きを十分に抑えることはできない。上下方向の傾動を避けるためにインデント部の高さをビード部（端子接続部の内面）の高さと全く同じ値にすることも考えられるが、製造上の公差を考慮すると、そのような設定は困難であり、実際にはインデント部がビード部よりも確実に低くなるようにしてビード部のみが確実に雄端子金具に接触する設計にしなくてはならない。また、上記の構成では、振動などにより雄端子金具が左右方向に傾動（雄端子金具のタブ面に沿った動き）しようとした場合には、その傾きを抑制することができない。
【課題を解決するための手段】
【０００７】
本明細書で開示される雌端子金具は、雄端子金具を挿入可能な開口部を有する筒状の端子接続部と、前記端子接続部の前記開口部の奥側に設けられ、前記端子接続部の内側に突出することで前記雄端子金具と接触部で接触する弾性接触片と、前記接触部から前記雄端子金具の軸線方向に離間した位置に設けられ、前記雄端子金具を挿入可能な孔部を有し、該孔部の周縁が前記弾性接触片と接触する前記雄端子金具の周囲に接触することで前記雄端子金具の傾きを抑制する傾き抑制部と、を備える。
【０００８】
このような構成によると、雄端子金具が開口から挿入され所定位置に配されると、雄端子金具が孔部の周縁と接触することになる。そのため、弾性接触片の接触部と孔部の周縁との２か所以上で支持されることから、振動などによって端子金具同士が相対的に移動して雄端子金具が傾こうとしても、２か所で支持されているために、雄端子金具の傾きを抑制することができ、雄端子金具との接続信頼性を高めることができる。
【０００９】
本明細書に開示される雌端子金具の実施の態様として、以下の構成としてもよい。
前記端子接続部は角筒状をなしており、その一側面に設けた切り起こし片によって前記傾き抑制部が形成されている構成としても良い。
このような構成によると、傾き抑制部を雌端子金具に一体の部品とできるから、部品点数の削減につながる。また、傾き抑制部を切り起こしにより形成すると、切り起こし片は片持ち状態となるから変形の自由度が高くなる。このため、製造上の誤差に起因して孔部の中心と雄端子金具の中心軸線とがずれたとしても、雄端子金具の先細の先端が孔部に進入さえすれば、その後に切り起こし片を押し曲げながら雄端子金具を挿入可能となる場合もあり、誤差に対する許容度が広くなる。
【００１０】
前記傾き抑制部が別体の樹脂製部品である構成としても良い。
このような構成では、端子接続部等に傾き抑制部を一体に形成する場合に比して、雌端子金具の成形が容易であり、しかも傾き抑制部を精度良く形成したり、端子接続部等の強度的に配慮したりした構造とすることができる。
【００１１】
また、本明細書に開示される雌端子金具と雄端子金具を組み合わせた端子金具の態様として、以下の構成としても良い。
前記雌端子金具と、該雌端子金具に挿入可能な雄端子金具とを備える一対の端子金具であって、前記雄端子金具の先端には、先細のテーパー部が形成されており、前記孔部はその径寸法が前記雄端子金具の最大外形寸法より小さい構成としても良い。
このような構成によると、孔部に雄端子金具を挿入する際に圧接気味に固定されることになる。そのため、強固に雄端子金具を固定することができる。
【００１２】
前記雌端子金具と、該雌端子金具に挿入可能な雄端子金具とを備える一対の端子金具であって、前記雄端子金具は、その先端が複数に分岐した分岐先端部を有しており、前記傾き抑制部には、前記雄端子金具の分岐先端部に対応する数の前記孔部が形成されている構成としても良い。
このような構成によると、雄端子金具の先端を複数箇所で保持することになるから、雄端子金具又は雌端子金具にそれらの軸線周りに回転するひねり方向の力が加わっても、端子金具が同方向に傾動することを抑制することができる。
【００１３】
前記雄端子金具の前記分岐先端部には、先細の分岐テーパー部が形成されており、前記孔部はその径寸法が前記分岐先端部の最大径寸法より小さくなっている構成としても良い。
このような構成によると、孔部に雄端子金具を挿入する際に圧接気味に固定されることになる。そのため、強固に雄端子金具を固定することができる。
【発明の効果】
【００１４】
本明細書に開示される雌端子金具及び端子金具によれば、振動などによる傾きを抑制することができる。
【図面の簡単な説明】
【００１５】
【図１】実施形態１における端子金具の平面図
【図２】雌端子金具をコネクタハウジングに装着した状態での一部切欠断面図
【図３】図１のＩＩＩ−ＩＩＩ断面での断面図
【図４】雄端子金具を挿入した状態での雌端子金具が装着されたコネクタの一部切欠断面図
【図５】図３と同じ断面位置における雄端子金具を挿入した状態での断面図
【図６】実施形態２における端子金具の平面図
【図７】図６のＶＩＩ−ＶＩＩ断面での断面図
【図８】図７と同じ断面位置における雄端子金具を挿入した状態での断面図
【図９】図８のＩＸ−ＩＸ断面での断面図
【図１０】実施形態３における雄端子金具を挿入した状態での雌端子金具が装着されたコネクタの一部切欠断面図
【発明を実施するための形態】
【００１６】
＜実施形態１＞
実施形態１を図１から図５によって説明する。
本実施形態の一対の端子金具１０は、雌端子金具２０と雄端子金具５０とを備えている。雄端子金具５０は、図示しない雄コネクタに収容されており、雌端子金具２０は、図２に示すように、雌コネクタ６０のコネクタハウジング６１のキャビティ６３内において、ランス６５により抜け止めされる。
【００１７】
雌端子金具２０は、図示しない導電性金属板にプレス加工等の成形加工を施すことで、一体的に形成されており、前後方向に開口する端子接続部３０と、この端子接続部３０の後方に設けられ被覆電線７０と接続される電線接続部２１とを備える。
【００１８】
電線接続部２１は、被覆電線７０の芯線７１の端末に圧着されるワイヤバレル２３と、被覆電線７０の被覆７３の端末に圧着されるインシュレーションバレル２５とを備えている。
【００１９】
端子接続部３０は、図２に示すように、全体として角筒状をなしており、上方に位置する天井壁３１と、互いに対向する一対の側面壁３２と、下方に位置する底壁３３とからなり、前端側（図示左端側）には、雄端子金具５０を挿入する開口部３５が設けられている。また、端子接続部３０の内部には、底壁３３の前縁から後方に山型に折り返すことによって、弾性接触片３７が形成されている。この山型に折り返された頂点部分の上面が、雄端子金具５０と接触する接触部３７Ａとされている。
【００２０】
端子接続部３０の天井壁３１には、図１及び図２に示すように、ビード部３９が設けられている。ビード部３９は、天井壁３１が下方に叩き出されることで形成され、正面視略台形状をなして端子接続部３０の内方に突出している。ビード部３９は、前後方向に延びる形態をなし、弾性接触片３７の後端よりも後方まで延びている。また、ビード部３９は、雄端子金具５０との当接面である下端面３９Ａにおいて、雄端子金具５０の幅寸法よりもその幅方向の寸法が大きくなっており、雄端子金具５０と確実に接触する。そして、端子接続部３０に雄端子金具５０が前方から挿入されると、雄端子金具５０が接触部３７Ａとビード部３９の下端面３９Ａとの間で上下方向から挟持され、雌端子金具２０と雄端子金具５０とが導通状態になる。
【００２１】
ここで、雄端子金具５０は、図１及び図２に示すように、同じ幅寸法で細長い平板形状をなす雄端子本体部５１と、その先端側（雌端子金具２０に挿入される側）に形成される先細のテーパー部５３とを備える。雄端子本体部５１の厚さ寸法（図２における上下方向の寸法）は、ビード部３９が自由状態にあるときのその下端面３９Ａと弾性接触片３７の接触部３７Ａとの間の上下方向寸法より若干大きくなっており、雄端子金具５０を端子接続部３０内に挿入すると、弾性接続片３７を押し下げて弾性的に変形させるようになっている。テーパー部５３は四面とも先端側が細くなるように勾配がつけられている。そして、テーパー部５３の先端は、後述する貫通孔４３に挿入しやすいように、貫通孔４３の寸法よりも十分小さくなっている。雄端子金具５０の後方には、電線と接続される雄側電線接続部が設けられている(図示せず)。
【００２２】
また、端子接続部３０の天井壁３１には、図２及び図３に示すように、ビード部３９の後方に切り起こし片４０が設けられている。切り起こし片４０は、天井壁３１の一部を切り抜いて内側に起こすことで形成されている。切り起こし片４０が切り抜かれた天井壁３１には、切り起こし孔４１がある。切り起こし片４０は、天井壁３１に対して略垂直に曲げられており、片持ち状態となっているため、折り曲げられた位置を中心に変形の自由度が高くなっている。切り起こし片４０の幅寸法（図３及び図５における左右方向の寸法）は、雄端子金具５０の幅寸法より大きく、ビード部３９の幅寸法より若干小さくなっている。
【００２３】
切り起こし片４０には、図３に示すように、略中央付近に雄端子金具５０のテーパー部５３を挿入可能な矩形の貫通孔４３が設けられている。貫通孔４３の上下及び左右方向の寸法は、雄端子本体部５１のそれらよりも若干小さくしてあるため、雄端子金具５０のテーパー部５３を貫通孔４３内に挿入すると、その外周部が貫通孔４３の内周縁に圧接して雄端子金具５０が切り起こし片４０に固定されることになる。貫通孔４３の上端面４３Ａの上下方向における位置は、ビード部３９の下端面３９Ａの位置とほぼ同一となっており、ビード部３９に雄端子金具５０を沿わせて挿入させることで、ビード部３９が貫通孔４３へのガイドの役割を果たしている。
【００２４】
なお、ビード部３９と貫通孔４３との位置公差は、貫通孔４３がビード部３９に対して下にずれる方が好ましい。仮に貫通孔４３が若干ビード部３９に対して下側にずれている場合には、ビード部３９に沿わせて雄端子金具５０を端子接続部３０内に挿入していくと、テーパー部５３の先端が貫通孔４３に挿入されて、テーパー部５３の上面が貫通孔４３の上端面４３Ａに当接する。そして、そのまま雄端子金具５０を押し込んでいくと、切り起こし片４０が後方に押し曲げられて、貫通孔４３の位置が上方に移動し、雄端子金具５０が貫通可能となる。
【００２５】
このように雄端子金具５０がビード部３９に沿って雌端子金具２０の端子接続部３０内に挿入されて、雄端子金具５０を押し込む力によって雄端子金具５０が貫通孔４３に圧入されると、雄端子金具５０は切り起こし片４０の貫通孔４３の周縁部によって雄端子金具５０の全周と接触して上下左右方向で支持されることになる。また、雄端子金具５０が圧接気味に固定されることで、前後方向への力に対しても雄端子金具５０が移動しようとするのを抑制することができる。同時に、雄端子金具５０は、弾性接触片３７のバネ力によって、接触部３７Ａとビード部３９との間で挟持されることで、接触部３７Ａによっても雄端子金具５０は支持される。このように、雄端子金具５０は所定位置に配されると、貫通孔４３の周縁部と弾性接触片３７の接触部３７Ａとの２か所によって支持されることになる。
【００２６】
以上のように本実施形態によれば、雄端子金具５０が雌端子金具２０の開口部３５から挿入され所定位置に配されると、雄端子金具５０が貫通孔４３の周縁と接触することになる。そのため、弾性接触片３７の接触部３７Ａと貫通孔４３の周縁との２か所以上で支持されることから、振動などによって端子金具同士が相対的に移動して雄端子金具５０が傾こうとしても、２か所で支持されているために、雄端子金具５０の傾きを抑制することができ、雄端子金具５０との接続信頼性を高めることができる。
【００２７】
また、端子接続部３０は角筒状をなしており、その一側面（天井壁３１）に設けた切り起こし片４０によって傾き抑制部が形成されている。
このような構成によると、傾き抑制部を雌端子金具２０に一体の部品とできるから、部品点数の削減につながる。また、傾き抑制部を切り起こしにより形成すると、切り起こし片４０は片持ち状態となるから変形の自由度が高くなる。このため、製造上の誤差に起因して貫通孔４３の中心と雄端子金具５０の中心軸線とがずれたとしても、雄端子金具５０（テーパー部５３）の先細の先端が孔部に進入さえすれば、その後に切り起こし片４０を押し曲げながら雄端子金具５０を挿入可能となる場合もあり、誤差に対する許容度が広くなる。
【００２８】
また、本実施形態の雌端子金具２０と、雌端子金具２０に挿入可能な雄端子金具５０とを備える一対の端子金具１０であって、雄端子金具５０の先端には、先細のテーパー部５３が形成されており、貫通孔４３はその径寸法が雄端子金具５０の最大外形寸法より小さい。
このような構成によると、貫通孔４３に雄端子金具５０を挿入する際に圧接気味に固定されることになる。そのため、強固に雄端子金具５０を固定することができる。
【００２９】
＜実施形態２＞
次に、実施形態２を図６ないし図９によって説明する。
本実施形態の一対の端子金具１１０では、雄端子金具１５０の先端が二股になっている点及び貫通孔１４３が２つ設けられている点で、実施形態１とは相違する。なお、実施形態１と同一機能を有する部材、部位については、同一の符号を付すことで、説明を省略しまたは簡略化する。
【００３０】
本実施形態における一対の端子金具１１０は、雌端子金具１２０と雄端子金具１５０とを備えている。雄端子金具５０は、図示しない雄コネクタに収容されており、雌端子金具１２０は、雌コネクタ６０に収容される。
【００３１】
雌端子金具１２０は、図６に示すように、端子接続部１３０と、被覆電線７０と接続される電線接続部２１とを備えている。
端子接続部１３０は、図７に示すように、天井壁１３１と一対の側面壁３２と、底壁３３とから形成されており、その内部には弾性接触片３７が形成されている。天井壁１３１には、ビード部３９と、切り起こし片１４０とが設けられている。
【００３２】
雄端子金具１５０は、図６に示すように、雄端子本体部５１と、二股に分岐した分岐先端部１５５とを備えている。分岐先端部１５５は、各々は最大幅寸法が雄端子本体部５１よりも幅狭とされているが、２つの分岐先端部１５５を合わせると、その最大幅は大きくなっている。また、２つ形成された分岐先端部１５５のそれぞれが、先細に形成される分岐テーパー部１５７とされている。分岐テーパー部１５７は四面とも先端側が細くなるように勾配がつけられている。そして、分岐テーパー部１５７の先端は、後述する貫通孔１４３に挿入しやすいように、貫通孔１４３の寸法よりも十分小さくなっている。
【００３３】
また、端子接続部１３０の天井壁１３１には、図６及び図７に示すように、ビード部３９の後方に切り起こし片１４０が設けられている。切り起こし片１４０は、天井壁１３１の一部を切り抜いて内側に起こすことで形成されており、切り起こし片１４０が切り抜かれた天井壁１３１には、切り起こし孔４１がある。切り起こし片１４０は、天井壁１３１に対して略垂直に曲げられている。切り起こし片１４０の幅寸法（左右方向の寸法）は、雄端子金具１５０の幅寸法より大きく、ビード部３９の幅寸法とほぼ同じになっている。また、切り起こし片１４０の上下方向の寸法は、端子接続部３０の天井壁１３１と底壁３３の内面の間の寸法の約半分程度を占めている。
【００３４】
切り起こし片１４０には、図３に示すように、略中央付近に雄端子金具１５０の分岐テーパー部１５７を挿入可能な矩形の貫通孔１４３が左右方向に２つ並んで設けられている。貫通孔１４３の上下及び左右方向の寸法は、分岐先端部１５５のそれらの最大値よりも若干小さくなっているため、雄端子金具１５０の分岐先端部１５５（分岐テーパー部１５７）を貫通孔１４３内にそれぞれ挿入すると、分岐先端部１５５の外周部がが貫通孔１４３の内周縁に圧接して雄端子金具１５０が切り起こし片１４０に固定されることになる。なお、貫通孔１４３の上端面１４３Ａの上下方向における位置は、ビード部３９の下端面３９Ａの位置とほぼ同一となっており、ビード部３９に雄端子金具１５０を沿わせて挿入させることで、ビード部３９が貫通孔１４３へのガイドの役割を果たしている。
【００３５】
このように雄端子金具１５０がビード部３９に沿って雌端子金具１２０の端子接続部１３０内に挿入されて、雄端子金具１５０を押し込む力によって雄端子金具１５０の分岐先端部１５５が貫通孔１４３に圧入されると、雄端子金具１５０の分岐先端部１５５は切り起こし片１４０の貫通孔１４３の周縁部によって分岐先端部１５５の全周と接触して上下左右方向で支持されることになる。また、分岐先端部１５５が２つあることで、雄端子金具１５０の先端を複数個所で固定することから、雄端子金具１５０又は雌端子金具１２０にそれらの軸線周りに回転するひねり方向の力が加わっても、同方向に傾動することを抑制することができる。このように、雄端子金具１５０は所定位置に配されると、貫通孔１４３の周縁部と弾性接触片３７の接触部３７Ａとの２か所によって支持され、さらに雄端子金具１５０の先端を分岐先端部１５５の２か所で保持することで、端子金具の軸線方向へ回転するひねり方向の力に対しても傾動を抑制することができる。
【００３６】
以上のように本実施形態では、雌端子金具１２０と、雌端子金具１２０に挿入可能な雄端子金具１５０とを備える一対の端子金具１１０であって、雄端子金具１５０は、その先端が複数に分岐した分岐先端部１５５を有しており、切り起こし片１４０には、雄端子金具１５０の分岐先端部１５５に対応する数の貫通孔１４３が形成されている。
このような構成によると、切り起こし片１４０が雄端子金具１５０の先端を複数箇所で保持することになるから、雄端子金具１５０又は雌端子金具１２０にそれらの軸線周りに回転するひねり方向の力が加わっても、端子金具が同方向に傾動することを抑制することができる。
【００３７】
また、雄端子金具１５０の分岐先端部１５５には、先細の分岐テーパー部１５７が形成されており、貫通孔１４３はその径寸法が分岐先端部１５５の最大径寸法より小さくなっている。
このような構成によると、貫通孔１４３に雄端子金具１５０を挿入する際に圧接気味に固定されることになる。そのため、強固に雄端子金具１５０を固定することができる。
【００３８】
＜実施形態３＞
次に、実施形態３を図１０によって説明する。
本実施形態では、傾き抑制部が雌端子金具２２０とは別体の樹脂製部品である点で、実施形態１とは相違する。なお、実施形態１と同一機能を有する部材、部位については、同一の符号を付すことで、説明を省略しまたは簡略化する。
【００３９】
本実施形態における一対の端子金具２１０は、雌端子金具２２０と雄端子金具５０とを備えている。雄端子金具５０は、図示しない雄コネクタに収容されており、雌端子金具２２０は、雌コネクタ６０に収容される。
【００４０】
雌端子金具２２０は、端子接続部２３０と、被覆電線７０と接続される電線接続部２１と、端子固定部２４５を備えている。
端子接続部２３０は、図１０に示すように、天井壁２３１と一対の側面壁２３２と、底壁２３３とから形成されており、その内部には弾性接触片３７が形成されている。天井壁２３１には、ビード部３９が設けられている。端子接続部２３０は、実施形態１に比べるとその前後方向の長さが短くなっており、雄端子金具５０を所定位置まで挿入すると、テーパー部５３が一部はみ出す程度の前後方向の長さとされている。
【００４１】
端子接続部２３０の後方には、端子固定部２４５が配される。端子固定部２４５は、樹脂製であって、雌端子金具２２０の端子接続部２３０と当接する位置に接着剤などによって固定されている。端子固定部２４５の上面は、端子接続部２３０の天井壁２３１の上面と略面一であって、端子固定部２４５の側面は、側面壁２３２の内面とほぼ同じ位置である。
【００４２】
端子固定部２４５の前面（端子接続部２３０と当接する面）には、雄端子金具５０の先端部であるテーパー部５３を挿入可能な非貫通の挿入穴部２４７が設けられている。挿入穴部２４７の上下及び左右方向の寸法は、雄端子本体部５１のそれらよりも若干小さくしてあるため、雄端子金具５０のテーパー部５３を挿入穴部２４７内に挿入すると、その外周部が挿入穴部２４７の内周縁に圧接して雄端子金具５０が端子固定部２４５に固定されることになる。なお、挿入穴部２４７は、雄端子金具５０の先端部が露出しないように、非貫通の穴とされている。
【００４３】
このように雄端子金具５０がビード部３９に沿って雌端子金具２２０の端子接続部２３０内に挿入されて、雄端子金具５０の先端が挿入穴部２４７に挿入される。そして、雄端子金具１５０を押し込む力によって雄端子金具５０のテーパー部５３が挿入穴部２４７に圧入されると、雄端子金具５０の先端部（テーパー部５３の先端部）は挿入穴部２４７の周縁部によってテーパー部５３の全周と接触して上下左右方向で支持されることになる。また、折り曲げなどによって端子固定部２４５を形成していないため、精度を出しやすく、端子接続部２３０に切り起こし孔を形成しなくても良くなることから、端子接続部２３０の強度を向上させることができる。
【００４４】
以上のように本実施形態では、傾き抑制部である端子固定部２４５が端子接続部２３０等とは別体の樹脂製部品である。
このような構成では、端子接続部２３０等に傾き抑制部を一体に形成する場合に比して、雌端子金具２２０の成形が容易であり、しかも傾き抑制部を精度良く形成したり、端子接続部２３０等の強度的に配慮したりした構造とすることができる。
【００４５】
＜他の実施形態＞
本明細書で開示される技術は上記記述及び図面によって説明した実施形態に限定されるものではなく、例えば次のような種々の態様も含まれる。
（１）上記実施形態では、雄端子金具５０のテーパー部５３もしくは雄端子金具１５０の分岐テーパー部１５７等の先端で切り起こし片４０もしくは端子固定部２４５によって保持されていたが、雄端子金具５０、１５０の雄端子本体部５１で保持するようにされていても良い。
（２）上記実施形態では、雄端子金具５０、１５０はテーパー部５３もしくは分岐テーパー部１５７等のテーパー面を有していたが、テーパー面を有さず全体が同じ幅寸法とされていても良い。
【００４６】
（３）上記実施形態では、貫通孔４３、１４３及び挿入穴部２４７は、雄端子金具５０、１５０の最大外径寸法よりもその内径寸法が小さくなっていたが、同じ大きさとされていても良い。
（４）上記実施形態では、ビード部３９が形成されていたが、ビード部がなく端子接続部の内面に雄端子金具５０、１５０が当接するようにされていても良い。また、ビード部の形状は、正面視台形状以外の他の形状であっても良いし、１つではなく２つ以上形成されていても良い。
（５）上記実施形態では、弾性接触片３７は山型で片持ち状のものであったが、両持ち状のもの等周知の他の形状であっても良い。
【００４７】
（６）上記実施形態１及び２では、天井壁３１、１３１から切り起こし片４０、１４０が切り起こされていたが、側面壁や底壁から切り起こされていても良い。
（７）上記実施形態１及び２では、切り起こしにより切り起こし片４０、１４０を形成していたが、端子接続部の後端の曲げなどにより作成しても良い。
【００４８】
（８）上記実施形態３では、端子固定部２４５は樹脂製とされていたが、雄端子金具５０を固定できるものであれば、他の素材であっても良い。
（９）上記実施形態３では、端子固定部２４５は端子接続部２３０の外側に設けられていたが、端子接続部の前後方向の長さを長くした上で内部に収容するようにしても良い。その場合には、孔部は貫通孔であっても良いし、非貫通であっても良い。
【００４９】
（１０）上記実施形態３では、雄端子金具５０は分岐していないが、実施形態２のように分岐していても良い。その場合には分岐した先端の数だけ挿入穴部を端子固定部に設けるようにすればよい。
（１１）上記実施形態２では、雄端子金具１５０はその先端が２つに分岐していたが、３つ以上に分岐していても良い。また、同一面上で分岐する以外にも上下左右など立体的に分岐していても良い。
【符号の説明】
【００５０】
１０、１１０、２１０…一対の端子金具
２０、１２０、２２０…雌端子金具
３０、１３０、２３０…端子接続部
３５…開口部
３７…弾性接触片
３７Ａ…接触部
３９…ビード部
４０、１４０…切り起こし片（傾き抑制部）
４３、１４３…貫通孔（孔部）
２４５…端子固定部（傾き抑制部）
２４７…挿入穴部（孔部）
５０、１５０…雄端子金具
５１…雄端子本体部
５３…テーパー部
１５５…分岐先端部
１５７…分岐テーパー部
６０…雌コネクタ
６１…コネクタハウジング
６３…キャビティ
７０…被覆電線
【図１】
2015220017.tif 000003
【図２】
2015220017.tif 000004
【図３】
2015220017.tif 000005
【図４】
2015220017.tif 000006
【図５】
2015220017.tif 000007
【図６】
2015220017.tif 000008
【図７】
2015220017.tif 000009
【図８】
2015220017.tif 000010
【図９】
2015220017.tif 000011
【図１０】
2015220017.tif 000012